(57)【要約】【課題】主に、建物に対してバルコニーを固定する際に、バルコニーの下が空間となっている部分を支えられるようにする。【解決手段】建物本体１の上階部分３にバルコニー４を設置するバルコニー設置構造に関する。  バルコニー４は、建物本体１に沿って一側から他側へ延びている。  バルコニー４の一側は下に空間１１を有するポーチ部１２とされ、他側は下に建物部１３を有するテラス部１４とされている。  ポーチ部１２は、建物本体１の下階部分２の上部に取付けられた水平な受プレート１５の建物本体１から張出した支持面１５ａの上に仮置・固定される。  受プレート１５には、支持面１５ａの上面に高さ調整用のスペーサ１６が一体に取付けられている。【選択図】図４
2020158955.tif 000002
【特許請求の範囲】
【請求項１】
建物本体の上階部分にバルコニーを設置するバルコニー設置構造であって、
前記バルコニーは、前記建物本体に沿って一側から他側へ延び、
前記バルコニーの一側は下に空間を有するポーチ部とされ、他側は下に建物部を有するテラス部とされ、
前記ポーチ部は、前記建物本体の下階部分の上部に取付けられた水平な受プレートの前記建物本体から張出した支持面の上に仮置・固定されると共に、
前記受プレートには、前記支持面の上面に高さ調整用のスペーサが一体に取付けられていることを特徴とするバルコニー設置構造。
【請求項２】
請求項１に記載のバルコニー設置構造であって、
前記スペーサは、前記受プレートの前記支持面よりも幅広とされて、前記支持面から横へ突出していることを特徴とするバルコニー設置構造。
【請求項３】
請求項２に記載のバルコニー設置構造であって、
前記受プレートの前記建物本体に対する取付基部の上面に、防水材が設置されることを特徴とするバルコニー設置構造。
【請求項４】
請求項１ないし請求項３のいずれか１項に記載のバルコニー設置構造であって、
前記建物本体は、建物ユニットによって構成され、
前記バルコニーは、複数の前記建物ユニット間に跨るように延びていることを特徴とするバルコニー設置構造。
【発明の詳細な説明】
【技術分野】
【０００１】
この発明は、バルコニー設置構造に関するものである。
【背景技術】
【０００２】
住宅などの建物には、上階部分にバルコニーを設置したものが存在している（例えば、特許文献１参照）。
【先行技術文献】
【特許文献】
【０００３】
【特許文献１】特開２０１４−２１４４４６号公報
【発明の概要】
【発明が解決しようとする課題】
【０００４】
建物に対してバルコニーを固定する際に、バルコニーの下が空間になっていると、その部分を支える構造が必要になる。
【０００５】
そこで、本発明は、主に、上記した問題点を解決することを目的としている。
【課題を解決するための手段】
【０００６】
上記課題を解決するために、本発明は、
建物本体の上階部分にバルコニーを設置するバルコニー設置構造であって、
前記バルコニーは、前記建物本体に沿って一側から他側へ延び、
前記バルコニーの一側は下に空間を有するポーチ部とされ、他側は下に建物部を有するテラス部とされ、
前記ポーチ部は、前記建物本体の下階部分の上部に取付けられた水平な面を有する受プレートの前記建物本体から張出した支持面の上に仮置・固定されると共に、
前記受プレートには、前記支持面の上面に高さ調整用のスペーサが一体に取付けられていることを特徴とする。
【発明の効果】
【０００７】
本発明によれば、上記構成によって、建物に対してバルコニーを固定する際に、バルコニーの下が空間となっている部分を支えることなどができる。
【図面の簡単な説明】
【０００８】
【図１】本実施の形態にかかるバルコニー設置構造を備えた住宅などの建物を示す斜視図である。
【図２】図１のバルコニーの斜視図である。
【図３】図１のバルコニーを軒元側から見た斜視図である。
【図４】建物本体の下階部分の上部に対する受プレートの取付状態を示す斜視図である。
【図４Ａ】図４の変形例である。
【図５】受プレートおよびスペーサを示す斜視図である。
【図６】建物本体のポーチ部の軒元部分（の受プレート以外の位置）の拡大縦断面図である。
【図７】建物本体のポーチ部の軒元部分（の受プレートの位置）の拡大縦断面図である。
【図８】バルコニーの床部の受プレート周辺部分の拡大平面図である。
【図９】軒元見切材の部品図である。
【図１０】受プレートの防水材を示す斜視図である。
【図１１】バルコニーを備えたユニット建物の施工手順を示す斜視図である。
【図１２】下階の建物ユニットに対するバルコニーの据付け状態を示す斜視図である。
【図１３】図１２と同様の側面図である。
【発明を実施するための形態】
【０００９】
以下、本実施の形態を、図面を用いて詳細に説明する。
図１〜図１３は、この実施の形態を説明するためのものである。
【実施例１】
【００１０】
＜構成＞以下、構成について説明する。
【００１１】
図１（図２）は、住宅などの建物を示す斜視図である。この建物の本体（建物本体１）は、下階部分２と上階部分３とを有する多層構造を有している。この建物には、上階部分３にバルコニー４が取付けられている。そして、この建物に対するバルコニー４の設置構造（バルコニー設置構造）を以下のようにする。
【００１２】
（１）バルコニー４は、建物本体１に沿って一側から他側へ延びるものとされる。
図２（図３）に示すように、バルコニー４の一側は下に空間１１を有するポーチ部１２とされ、他側は下に建物部１３を有するテラス部１４とされる。
ポーチ部１２は、図４（図４Ａ）に示すように、建物本体１の下階部分２の上部に取付けられた水平な受プレート１５の建物本体１から張出した支持面１５ａの上に仮置・固定される。
受プレート１５には、図５に示すように、支持面１５ａの上面に高さ調整用のスペーサ１６が一体に取付けられている。
【００１３】
ここで、図３に示すように、バルコニー４は、床部２１と手摺部２２とを有するものとされている。床部２１は、平面視ほぼ矩形状のものとされている。床部２１は、基本構造となる床フレームを有している。床フレームは、平行な一対の軒元梁２３および軒先梁２４や、軒元梁２３と軒先梁２４との両端部間を接続する平行な一対の妻梁２５によって構成されている。床フレームの内部には、妻梁２５と平行な垂木２６が軒元梁２３および軒先梁２４の延設方向に間隔を有して複数本設置されている。垂木２６の端部は、軒元梁２３および軒先梁２４の内側面に固定される。床フレームおよび垂木２６の上部には、床パネルなどが適宜設置される。
【００１４】
また、手摺部２２は、基本構造となる手摺フレームを有している。手摺フレームの内部には、バルコニー４の仕様に応じて、格子や、面材や、壁などが適宜設置される。手摺部２２は、軒元側を除く三面、または、更に一方の側面を除く二面などに設けられる。
【００１５】
この場合、バルコニー４は、少なくとも床部２１を構成する床フレームを、予め完成形の大きさに組立てて大型の構造体にした状態にして、建物本体１に設置される（図１１〜図１３）。このとき、床フレームには、手摺フレームを一体に取付けておくようにしても良い。
【００１６】
バルコニー４の床部２１は、建物本体１の（下階部分２の上部よりも僅かに上となる）上階部分３の下部の位置に設置される。バルコニー４の床部２１は、一側の一つのコーナー部２７に設けた建物固定部２８が、建物本体１の上階部分３の下部に固定される。この際、床部２１には、建物固定部２８の近傍に形状調整部２９が設けられる。形状調整部２９は、共回防止部を備えたボルト締結部などとすることができる。
【００１７】
建物本体１に沿った一側および他側は、建物本体１の側面に沿った方向であればどのような向きとしても良い。バルコニー４は、建物本体１の側面の一側から他側までの全域に亘る大きさとしても良いが、それより小さくても良い。
【００１８】
空間１１は、例えば、玄関ポーチなどとすることができる。
そして、ポーチ部１２では、図６（〜図８）に示すように、床部２１の下面側に、軒天井材３１が設置される。軒天井材３１は、耐火材でできており、床部２１の内部に垂木２６と平行に設置された天井受桟固定梁３２、および、天井受桟固定梁３２の下面に天井受桟固定梁３２と交差するように固定した天井受桟３３を介して取付けられる。軒天井材３１の縁部には、例えば、軒天井材３１の建物本体１側の縁部に沿って延びる長尺の軒元見切材３４などの見切材が設置されている。
【００１９】
図１に示すように、建物部１３は、建物本体１と連続して設けられても良いし、建物本体１から切離して設けられても良い。この実施例では、建物部１３は、建物本体１から部分的に突出するように、建物本体１に付設された玄関スペースなどとされている。建物部１３は、ポーチ部１２下の空間１１に面した位置に玄関ドア１３ａを有している。
テラス部１４は、建物部１３の上の部分に形成される。
【００２０】
下階部分２の上部は、図６に示すように、バルコニー４の床部２１が設置される上階部分３の下部の位置よりも僅かに下となる位置である。
【００２１】
受プレート１５は、建物本体１の上階部分３にバルコニー４の一側の一つのコーナー部２７（の建物固定部２８）を固定するまでの間、床部２１の一側のポーチ部１２を、建物本体１の下階部分２の上部に仮置きしておくための部材である。
【００２２】
受プレート１５は、例えば、図４に示すように、ポーチ部１２のテラス部１４との境界部分３５となる位置の近傍や、バルコニー４の建物固定部２８が設けられる（境界部分３５とは反対側の）位置の近傍などに対して単数または複数設けられる。なお、受プレート１５は、バルコニー４の大きさに合わせて位置を設定すれば良い、例えば、図４Ａに示すように、建物本体１の端部よりも内側の位置などに設けても良い。受プレート１５は、所要の強度を有するように、比較的厚肉に構成される。
【００２３】
支持面１５ａは、図５に示すように、建物本体１から突出した、受プレート１５の先端側の面のことである。受プレート１５は、基端側の取付基部１５ｂをボルト・ナットなどの締結具３６で、建物本体１の下階部分２の上部に上下方向に締結固定される。支持面１５ａと取付基部１５ｂとは、面一状態で水平に連続されている。
【００２４】
スペーサ１６は、図７（図８）に示すように、支持面１５ａと、バルコニー４の床部２１（の軒元梁２３）の下部との間に介在されて、床部２１の高さ調整を行うためのものである。スペーサ１６は、受プレート１５よりも薄肉に形成することができる。なお、スペーサ１６は、受プレート１５の支持面１５ａと共に、仮置き後に、ボルト・ナットなどの締結具３７で、バルコニー４の床部２１の軒元梁２３に上下方向に締結固定される。
【００２５】
（２）図５または図８に示すように、スペーサ１６は、受プレート１５の支持面１５ａよりも幅広とされて、支持面１５ａから横へ突出するようにしても良い（側方突出部１６ａ）。
【００２６】
ここで、スペーサ１６は、まず、支持面１５ａを保護するために幅広にすることができる。また、スペーサ１６は、幅広にすることで支持面１５ａの周辺状態を整えることができる。
【００２７】
即ち、例えば、図６、図７の対比から分かるように、バルコニー４のポーチ部１２では、受プレート１５で床部２１の軒元梁２３の下部を支持すると、軒天井材３１の縁部に沿って設置される軒元見切材３４が受プレート１５と干渉することになる。そのために、軒元見切材３４には、受プレート１５と干渉する部分に、予め支持面１５ａの幅寸法よりも若干大きめの切欠部３８（図７）を設けて干渉を防止する必要がある。
【００２８】
軒元見切材３４は、図６（図９）に示すように、軒天井材３１の縁部に嵌合する側面視ほぼコ字状の嵌合部３４ａと、嵌合部３４ａの上部を軒元梁２３の下部にビスなどの固定具４１で上下方向に取付けるための取付面３４ｂとを、主に有している。取付面３４ｂは、軒先側へ向けてほぼ水平に屈曲されている。また、嵌合部３４ａの軒天井材３１とは反対側の位置には、建物本体１の下階部分２に取付けられた壁材４２（壁部）の上部側面に当接して、壁材４２との間でシールを行うシール材３４ｃが取付けられている。壁材４２は耐火材とされている。
【００２９】
更に、嵌合部３４ａと取付面３４ｂとの間の位置には、壁材４２の側へ向かって横に延びる重複面３４ｄが設けられている。この重複面３４ｄは、壁材４２の上端部の上方を越えて、壁材４２の内面に設置された鉄フレーム４２ａの内側面の位置にほぼ達する程度にまでほぼは水平に延ばされている。そして、重複面３４ｄは、壁材４２の上端部と鉄フレーム４２ａとの間に設置された、熱で膨張する防火材４３の上側を覆って、防火材４３と対向するようになっている。防火材４３は、重複面３４ｄに達する厚みか、達しない厚みを有しており、熱膨張して重複面３４ｄに圧着されることによって防火性能を発揮する。この重複面３４ｄと防火材４３とによって、ポーチ部１２の軒元側に防火ラインが形成される。
【００３０】
そして、上記したように、軒元見切材３４の重複面３４ｄおよび取付面３４ｂは、受プレート１５と干渉する部分が、受プレート１５の支持面１５ａよりも広めに切欠かれて、切欠部３８となっている。そのため、切欠部３８の位置でポーチ部１２の軒元側に防火ラインが途切れる可能性がある。
【００３１】
そこで、スペーサ１６を、切欠部３８の幅寸法よりも幅広にして、スペーサ１６の側方突出部１６ａによって、受プレート１５の支持面１５ａと、重複面３４ｄの切欠部３８の縁部との間の橋渡しを行わせることで、切欠部３８を塞ぐことができるようになる。これにより、ポーチ部１２の軒元側の防火ラインを切欠部３８の位置で切れないようにすることが可能になる。
【００３２】
（３）図１０に示すように、受プレート１５の建物本体１に対する取付基部１５ｂの上面に、防水材５１が設置されても良い。
【００３３】
ここで、防水材５１は、どのようなものとしても良いが、例えば、帯状の防水テープなどとして、防水材５１を貼付けられるようにしても良い。防水テープは、取付基部１５ｂを若干越えた長さとするのが好ましい。取付基部１５ｂと、取付基部１５ｂを越えた部分との間にできる段差には、段差を埋めるためのコーキング処理を施すようにするのが好ましい（コーキング部５２）。更に、取付基部１５ｂに取付けられた締結具３６の上面（頭部）にも防水シート５３などの防水材取付けるようにするのが好ましい。
【００３４】
なお、図６に示すように、受プレート１５以外の部分では、建物本体１の下階部分２と上階部分３との間には、防水材５４が設けられて、防水材５４によって軒元側の防水ラインを形成するようになっている。そして、図７に示すように、受プレート１５の上面に防水材５１を設置することで、受プレート１５によって防水ラインが途切れないようにする。
【００３５】
（４）図１（図２）に示すように、建物本体１は、建物ユニット６１ａ〜６１ｇによって構成されても良い。
バルコニー４は、複数の建物ユニット６１ａ〜６１ｇ間に跨るように延びても良い。
【００３６】
ここで、建物ユニット６１ａ〜６１ｇは、予め工場で製造された箱状の構造体である。建物ユニット６１ａ〜６１ｇを建築現場へ運んで組み立てることにより、短期間のうちに建物（ユニット建物）が構築される。建物ユニット６１ａ〜６１ｇには鉄骨系のものと木質系のものとが存在しており、そのどちらでも良い。この実施例では、鉄骨系のものとしている。鉄骨系の建物ユニット６１ａ〜６１ｇは、図４に示すように、４本の金属製の柱６２の下端間を、４本の金属製の床梁６３（図６）で連結すると共に、４本の金属製の柱６２の上端間を、４本の金属製の天井梁６４で連結した直方体状のユニットフレームを有している。
【００３７】
建物（ユニット建物）は、どのような構成としても良いが、この実施例では、図１１（〜図１３）に示すように、複数の建物ユニット６１ａ〜６１ｃおよび６１ｅ〜６１ｇを短辺の方向（妻方向）に並設して、短辺に沿ってバルコニー４を設置した構成を有している。この場合、建物ユニット６１ａ，６１ｅの側を短辺の方向の一側とし、建物ユニット６１ｃ，６１ｇの側を短辺の方向の他側としている。なお、ユニット建物の構成は、上記に限るものではない。また、バルコニー４は、建物ユニット６１ａ〜６１ｇの長辺の方向（桁方向）に沿って設置するようにしても良い。
【００３８】
そして、他側の建物ユニット６１ｃ，６１ｇを、一側の建物ユニット６１ａ，６１ｅおよび中間の建物ユニット６１ｂ，６１ｆに対し、バルコニー４の妻梁２５の長さの分だけ長辺の方向にオフセットさせて配置している。これにより、バルコニー４は、軒元側がオフセットされていない上階の建物ユニット６１ｅ，６１ｆ間に亘る（面する）ように設置されると共に、軒先側がオフセットされた建物ユニット６１ｇとほぼ面一とされている。
【００３９】
なお、バルコニー４は、複数の建物ユニット６１ｅ，６１ｆ間に跨っていれば良く、短辺の方向の全域に亘って延びる必要はない。また、バルコニー４は、建物ユニット６１ｅ，６１fの一つ分の短辺の方向（または長辺の方向）の寸法よりも長ければ良く、例えば、複数の建物ユニット６１ｅ，６１ｆを合わせた短辺の方向（または長辺の方向）の寸法より短くしても良い。
【００４０】
更に、バルコニー４の他側（テラス部１４）の下には、建物部１３として、他のものよりも小型の建物ユニット６１ｄが、建物ユニット６１ｂと長辺の方向に連続するように設置されている。
【００４１】
そして、バルコニー４の他側を小型の建物ユニット６１ｄの上に設置する際には、図１２に示すように、クレーンで吊り上げたバルコニー４の、床部２１の他側のコーナー部などに設けられたピン穴が、図３に示すように、下階の小型の建物ユニット６１ｄ（の柱６２の上端部）から上方へ突設された位置決めピン６５に上下方向に挿入されるように、下階の小型の建物ユニット６１ｄの真上の位置でバルコニー４をほぼ真下へ吊り降ろすようにする。下階の小型の建物ユニット６１ｄの上への吊り降ろし後には、床部２１の他側と小型の建物ユニット６１ｄとの間を、上下方向に適宜ボルト固定する。
【００４２】
一方、床部２１の一側（ポーチ部１２）では、軒先側のコーナー部の下部が、予め地面に埋設固定されたバルコニー柱６６の上端部に固定される。そのために、（床部２１の一側の）軒先側のコーナー部に設けられたピン穴が、バルコニー柱６６の上端部から上方へ突設された位置決めピン６５（図１３）に上下方向に挿入されるように、バルコニー４をほぼ真下へ吊り降ろすようにする。バルコニー柱６６の上への吊り降ろし後には、（床部２１の一側の）軒先側のコーナー部とバルコニー４との間を、上下方向にボルト固定する。
【００４３】
この際、図１３に示すように、下階の建物ユニット６１ｄの位置決めピン６５が、バルコニー柱６６の位置決めピン６５よりも先にピン穴へ嵌まるように、バルコニー４は、他側が下になるように若干傾けておくのが好ましい。
【００４４】
なお、下階の建物ユニット６１ａ〜６１ｃの上に上階の建物ユニット６１ｅ〜６１ｇを積層固定する際には、図１１に示すように、上階の建物ユニット６１ｅ〜６１ｇの壁材４２の、バルコニー４と干渉する部分を、適宜切欠いておくようにする（切欠部６７）。
【００４５】
そして最後に、（床部２１の一側の）軒元側のコーナー部２７を建物本体１の上階部分３（の建物ユニット６１ｅ）に固定する。なお、この実施例では、バルコニー４は、建物本体１の上階部分３の位置に配設され、三つのコーナー部が、建物本体１の上階部分３以外の部分に固定された状態で、四つのコーナー部のうちの一つのコーナー部２７のみが建物本体１の上階部分３に取付けられる構造になっている。
【００４６】
＜作用効果＞この実施例によれば、以下のような作用効果を得ることができる。
【００４７】
（作用効果 １）建物本体１の上階部分３にバルコニー４を設置しても良い。そして、バルコニー４は、建物本体１に沿って一側から他側へ延び、バルコニー４の一側は下に空間１１を有するポーチ部１２とされ、他側は下に建物部１３を有するテラス部１４とされても良い。これにより、下全体が空間１１になっているポーチバルコニーや、下全体が建物になっているテラスバルコニーとは構成の異なる新たなバルコニー４を得ることができ、ユニット建物に対するバルコニー４の設置構造を多様化することができる。
【００４８】
そして、この新たな構成のバルコニー４は、後述するように、他側（テラス部１４）が建物部１３の上部に対して（上下方向に）固定され、一側（ポーチ部１２）が上階部分３に対して（面直方向（水平方向）に）固定されることになるため、ポーチバルコニーやテラスバルコニーとは異なる設置の仕方になる。
【００４９】
そのため、基礎に建物本体１の下階部分２を構築し、下階部分２に対し（予め完成形の大きさに組立てて一つの構造体とされた）バルコニー４を設置した後で、下階部分２の上に上階部分３を構築し、最後にバルコニー４の一側を上階部分３に対して面直方向に固定するような施工手順とすることが考えられる。
【００５０】
よって、下階部分２の上にバルコニー４を設置（テラス部１４を下の建物部１３に対して固定）してから、下階部分２の上に上階部分３を構築してバルコニー４の一側（ポーチ部１２）を上階部分３に固定するまでの間、ポーチ部１２を下階部分２の上に仮置しておく必要がある。
【００５１】
そこで、この実施例では、建物本体１の下階部分２の上部に水平な受プレート１５を取付けて、下が空間１１となっているポーチ部１２については、受プレート１５の建物本体１から張出した支持面１５ａの上に軒元側の部分を仮置・固定させられるようにしている。これにより、一側にポーチ部１２を有し、他側にテラス部１４を有するバルコニー４を、建物本体１に対して支障なく取付けることができる。
【００５２】
また、受プレート１５は、支持面１５ａの上面に高さ調整用のスペーサ１６が一体に取付けられている。これにより、受プレート１５を最適な板厚に設定することができると共に、ポーチ部１２を仮置・固定させる高さをスペーサ１６によって最適に調整することができる。また、支持面１５ａの上面に現場で高さ調整用のスペーサ１６を取付けて調整を行う手間をなくすことができる。
【００５３】
（作用効果 ２）スペーサ１６は、受プレート１５の支持面１５ａよりも幅広にして、支持面１５ａから横へ突出させるようにしても良い。これにより、幅広のスペーサ１６によって支持面１５ａを保護することができる。また、例えば、建物本体１の下階部分２の上部の位置に設置される防火材４３（熱膨張材）と、バルコニー４に設けられる軒元見切材３４などとの間に防火ラインを形成させるような場合に、建物本体１の下階部分２の上部に受プレート１５を設置することで、受プレート１５の支持面１５ａによって防火ラインが途切れる状態になったとしても、スペーサ１６に設けられた、受プレート１５の支持面１５ａに対して横へ突出する部位（側方突出部１６ａ）が、防火ラインの途切れた部分に位置して、途切れた部分を塞ぐことで、防火ラインが切れないようにすることが可能になる。
【００５４】
（作用効果 ３）受プレート１５の建物本体１に対する取付基部１５ｂの上面に、防水材５１を設置しても良い。これにより、建物本体１の下階部分２に受プレート１５を取付けた場合に、受プレート１５と建物本体１の上階部分３との間の部分を、防水材５１によって防水することができる。そのため、建物本体１の下階部分２と上階部分３との間に形成される防水ラインを受プレート１５の位置で途切れさせないようにすることができる。
【００５５】
（作用効果 ４）建物本体１は、建物ユニット６１ａ〜６１ｇによって構成されても良い。この場合、図１１（〜図１３）に示すように、基礎に下階の建物ユニット６１ａ〜６１ｄを据付け、下階の建物ユニット６１ｄに対して（予め完成形の大きさに組立てて一つの構造体とされた）バルコニー４を上から設置し、その後で、下階の建物ユニット６１ａ〜６１ｃの上に上階の建物ユニット６１ｅ〜６１ｇを積層固定し、最後にバルコニー４の一側の一つのコーナー部２７を上階の建物ユニット６１ｅの側面に面直方向に固定するような施工手順となる。
【００５６】
よって、下階の建物ユニット６１ｄの上にバルコニー４を設置（テラス部１４を下の建物ユニット６１ｄに固定）してから、下階の建物ユニット６１ａ〜６１ｃの上に上階の建物ユニット６１ｅ〜６１ｇを積層固定してバルコニー４の一側（ポーチ部１２）を上階の建物ユニット６１ｅに固定するまでの間、ポーチ部１２を下階の建物ユニット６１ａ，６１ｂの上に仮置しておけるようにする必要がある。
【００５７】
そこで、この実施例では、下階の建物ユニット６１ａ，６１ｂの上部に水平な受プレート１５を取付けて、下が空間１１となっているポーチ部１２の軒元側を、受プレート１５の建物本体１から張出した支持面１５ａの上に仮置・固定させられるようにしている。これにより、予め工場で製造されて建築現場で組立てられる建物ユニット６１ａ〜６１ｇに対し、予め完成形の大きさに組立てられて一つの構造体とされたバルコニー４を容易に取付けることができ、ユニット建物の工期の短縮やコストダウンなどを図ることができる。
【００５８】
バルコニー４は、複数の建物ユニット６１ｅ，６１ｆ間に跨るように延びるように一側から他側へ延びるものとしても良い。これにより、バルコニー４を複数の建物ユニット６１ｅ，６１ｆ間に跨るような大型の構造体にして、現場で一気に建物本体１に取付けられるようにすることができる。
【符号の説明】
【００５９】
１      建物本体
２      下階部分
３      上階部分
４      バルコニー
１１    空間
１２    ポーチ部
１３    建物部
１４    テラス部
１５    受プレート
１５ａ  支持面
１５ｂ  取付基部
１６    スペーサ
５１    防水材
６１ａ  建物ユニット
６１ｂ  建物ユニット
６１ｃ  建物ユニット
６１ｄ  建物ユニット
６１ｅ  建物ユニット
６１ｆ  建物ユニット
６１ｇ  建物ユニット
【図１】
2020158955.tif 000003
【図２】
2020158955.tif 000004
【図３】
2020158955.tif 000005
【図４】
2020158955.tif 000006
【図４Ａ】
2020158955.tif 000007
【図５】
2020158955.tif 000008
【図６】
2020158955.tif 000009
【図７】
2020158955.tif 000010
【図８】
2020158955.tif 000011
【図９】
2020158955.tif 000012
【図１０】
2020158955.tif 000013
【図１１】
2020158955.tif 000014
【図１２】
2020158955.tif 000015
【図１３】
2020158955.tif 000016